(57)【要約】【課題】メンテナンスが容易でコストダウンも可能な大気圧イオン化質量分析装置を提供する。【解決手段】質量分析部を収める真空容器２に大気圧イオン化室１５の方向に容器外壁が延伸された延伸部２２を設けてイオン化プローブ１４をこの延伸部２２に装着すると共に、大気圧イオン化室１５を前記延伸部２２と前記延伸部２２に着脱可能に装着された蓋１８と真空室２１との間の隔壁１６とで囲われるように構成する。これにより真空容器２の一部にインターフェイス部も収容される構造となるので、精密加工を要する部品の点数が減少し、また、メンテナンスの際に取り外される蓋１８には配管・配線の接続がなく、しかも蓋１８は軽量であるから簡単に取り外すことができる。【選択図】          図１
0003135952.tif 000002
【実用新案登録請求の範囲】
【請求項１】
真空下で質量分析を行う真空室と大気圧下で試料をイオン化するイオン化プローブを内蔵する大気圧イオン化室とが隔壁を介して連設されて成る大気圧イオン化質量分析装置において、前記真空室を形成する真空容器は、前記大気圧イオン化室側の容器外壁が延伸された延伸部を有すると共に前記イオン化プローブが前記延伸部に装着され、且つ、前記大気圧イオン化室は前記隔壁と前記延伸部と前記延伸部に着脱可能に装着された蓋とで囲われて形成されることを特徴とする大気圧イオン化質量分析装置。
【考案の詳細な説明】
【技術分野】
【０００１】
本考案は、液体クロマトグラフと組み合わせて液体クロマトグラフ質量分析装置（以下、ＬＣ／ＭＳと略記）として用いるのに好適な大気圧イオン化質量分析装置に関する。
【背景技術】
【０００２】
ＬＣ／ＭＳは、液体クロマトグラフ部で分離された試料を質量分析部に導いてさらに質量分析を行う複合分析装置であるが、これに用いられる質量分析装置には液体クロマトグラフ部から送られて来る試料をイオン化するためのインターフェイスが必要である。近年は、インターフェイスとして大気圧下でイオン化する方式のものが用いられ、これを装備した質量分析装置が大気圧イオン化質量分析装置である。
【０００３】
図３に従来の大気圧イオン化質量分析装置の構成を、特にインターフェイス部を中心に断面図で示す。大気圧イオン化質量分析装置の全体的構成については、例えば特許文献１に背景技術として詳述されているところであるから、ここでは詳しい説明は省き、以下に構造の概略のみを図３に従い説明する。
【０００４】
図３において、２は質量分析部（図では省略）を内蔵する真空容器、１はこれに連設された大気圧イオン化インターフェイスである。大気圧イオン化インターフェイス１は、真空容器２に着脱可能に装着されたイオン化室ハウジング１１と、その上に取り付けられたイオン化プローブ１４、及びイオン化された試料を質量分析部に導入するイオン導入部１２等で構成される。イオン化室ハウジング１１に覆われた空間である大気圧イオン化室１５と真空容器２の内部空間である真空室２１とは隔壁１６により隔てられ、この隔壁１６に設けられたイオン導入部１２の細管１２ａを通して上記両室が連通されている。
【０００５】
液体クロマトグラフ部（図示しない）で分離された試料は、配管系１３を経てイオン化プローブ１４に導かれ、ここで噴霧されると共にイオン化され、細管１２ａを通って真空室２１に導入され、質量分析に供される。
なお、配管系１３は、液体クロマトグラフ部との連結配管の他に、試料を霧化する霧化ガスの供給配管など複数の配管で構成される。また、１７は溶剤等のドレインを排出する排出口である。
【０００６】
上記のように、従来のＬＣ／ＭＳにおいては大気圧イオン化インターフェイス１を収めるイオン化室ハウジング１１が、質量分析部を収める真空容器２とは別個に設けられ、両者がボルトなどで連結されていた。同様の構造は、例えば特許文献２においても見ることができる。即ち、同文献の図６及び図７に、大気圧イオン化部を収容する容器またはハウジングが真空室を形成する真空隔壁上に装着された構成が図示されている。
【特許文献１】特開２００６−１７０６８９号公報
【特許文献２】特開２００２−２３６１１０号公報
【考案の開示】
【考案が解決しようとする課題】
【０００７】
上記のように構成された真空容器とイオン化室ハウジングは、内蔵装置の精度を維持するための剛性と高真空を確保する耐圧性を必要とするので、アルミ等の金属で鋳造された後、切削により精密に加工されているが、それぞれ別個に加工されるため、加工工数が嵩み、製造コストを押し上げる要因となっていた。
【０００８】
また、大気圧イオン化インターフェイスの内部は試料の残渣等で汚れやすいので時々クリーニングを行う必要がある。クリーニングその他のメンテナンスを行うには、イオン化室ハウジングを真空容器から取り外す必要があるが、その取り外し作業は、金属鋳造品の重さの所為ばかりでなく、先ず配管系や図示しない電気配線の接続を外さなければならないという煩わしさも加わって、決して容易な作業ではなかった。
【０００９】
本考案はこのような事情に鑑みてなされたものであり、メンテナンスが容易で、しかもコストダウンも可能な大気圧イオン化質量分析装置を提供することを目的とする。
【課題を解決するための手段】
【００１０】
本考案は、上記課題を解決するために、質量分析部を収める真空容器に大気圧イオン化室側の容器外壁が延伸された延伸部を設けてイオン化プローブをこの延伸部に装着すると共に、大気圧イオン化室を前記延伸部と前記延伸部に着脱可能に装着された蓋と真空室との間の隔壁とで囲われるように構成する。これにより真空容器の一部にインターフェイスも収容される構造となるので、精密加工を要する部品の点数が減少し、また、メンテナンスの際に取り外される蓋には配管・配線の接続がなく、しかも軽量であるから、簡単に取り外すことができる。
【考案の効果】
【００１１】
本考案は上記のように構成されているので、精密加工を要する部品の点数が減少しコストダウンが可能となる。また、大気圧イオン化室の蓋を簡単に取り外せるので、メンテナンスが容易となる。
【考案を実施するための最良の形態】
【００１２】
本考案が提供する大気圧イオン化質量分析装置は次のような特徴を有する。即ち、第１の特徴は、真空容器に延伸部を設けてイオン化プローブをこの延伸部に装着するように構成した点にあり、第２の特徴は、大気圧イオン化室を延伸部と延伸部に着脱可能に装着された蓋と真空室との間の隔壁とで囲われるように構成した点である。
従って、最良の形態の基本的な構成は、上記２件の特徴的構成を具備する大気圧イオン化質量分析装置である。
【実施例１】
【００１３】
図１に本考案の一実施例を示す。同図において、図３と同符号を付したものは図３と同一物であるから再度の説明は省く。
本実施例が図３に示す従来例と相違する点は、真空容器２の外壁が隔壁１６を超えて隣接する大気圧イオン化インターフェイス１の方向に延伸された延伸部２２を有し、この延伸部２２にイオン化プローブ１４が装着され、延伸部２２の端部は蓋１８で塞がれていることである。換言すれば、真空容器２内に、質量分析部ばかりでなく、大気圧イオン化インターフェイス１も収容されたことになり、これにより精密加工を要する鋳造加工品の点数が減少し、コストダウンが可能となる。
【００１４】
蓋１８はネジなどで延伸部２２の端部に取り付けられ、その上、配管・配線の接続もないので簡単に取り外しが可能である。また、耐圧性を必要としないので、板金などで軽量、且つ安価に製作できる。
なお、蓋１８を透明材料で製作し、或いは、蓋１８の一部に透明材料を張った窓を設ければ、大気圧イオン化室１５内部の動作を外から観察することも可能となる。
【００１５】
上記のように構成された本実施例における大気圧イオン化インターフェイス１の動作は、図３に示す従来例と変わるところはない。
【００１６】
図２は本考案の他の実施例を示す。同図においても、図１または図３と同符号を付したものはそれらと同一物である。
本実施例は、従来から知られている傾斜形プローブを採用した例である。これは、イオン導入部１２の細管１２ａの入口側先端を下方に曲げることで細管１２ａに付着する液滴の吸い込みを極力抑えることを目的とした構造であって、この場合、イオン化プローブ１４も細管１２ａの曲げ角度に応じて傾斜させる必要がある。
本考案の容器構造でこの傾斜形プローブを採用する場合、図２に示すように、傾斜座金１９を介してイオン化プローブ１４を装着することで、容易に実現できる。
【００１７】
なお、図１及び図２に示す構成は例示であって、本考案はこれに限られるものでなく、種々変形の可能性がある。
例えば、ここでは装置組み立ての都合上、隔壁１６は真空容器２とは別の部材で構成されるものとしたが、隔壁１６を真空容器２と一体に鋳造により製作することも可能である。
【産業上の利用可能性】
【００１８】
本考案は、ＬＣ／ＭＳに利用できるばかりでなく、ＩＣＰ（イオン結合プラズマ発光分光分析法）と組み合わせたＩＣＰ／ＭＳとしても利用できる。
【図面の簡単な説明】
【００１９】
【図１】本考案の一実施例を示す図である。
【図２】本考案の他の実施例を示す図である。
【図３】従来の構成を示す図である。
【符号の説明】
【００２０】
１  大気圧イオン化インターフェイス
２  真空容器
１１  イオン化室ハウジング
１２  イオン導入部
１２ａ  細管
１３  配管系
１４  イオン化プローブ
１５  大気圧イオン化室
１６  隔壁
１７  排出口
１８  蓋
１９  傾斜座金
２１  真空室
２２  延伸部
【図１】
0003135952.tif 000003
【図２】
0003135952.tif 000004
【図３】
0003135952.tif 000005